(57)【特許請求の範囲】
【請求項１】
恒温恒湿室に設置された制振台上に精密電子秤が設けられ、内部に水を収容した測定カップに、外周部に低粘度のシリコンやエポキシ樹脂等の樹脂を含浸させると共に、その外周部分の上下にシリコンゴムやエポキシ樹脂等の樹脂によるパッキン部を形成し、さらにその外周面を覆うようにパッキン部間に非流動性のシリコンやエポキシ樹脂等の樹脂を充填して形成したシール部を有する試料を装着することにより形成された試験体の重量を、前記精密電子秤で測定して透湿度に換算する透湿度測定装置であって、
前記測定カップは、上面が開口したカップ本体と、このカップ本体の上面に形成された前記シール部の厚さよりも小さな段差からなる段差部との間で、前記試料のシール部を一定の締付け圧で挟持する押えリングとを備え、
カップ本体の周壁部に、カップ本体に収容された水の中に漬没する熱電対が取り付けられると共に、水面と試料との間の空間に延在して温度センサ及び湿度センサが取り付けられ、かつ、前記カップ本体の底部にバルブによって開閉する給排水路が形成され、カップ本体の周壁部にドレンバルブによって開閉する水位調整用ドレン口が前記温度センサ及び湿度センサよりも下方に設けられていることを特徴とした透湿度測定装置。
【請求項２】
請求項１記載の透湿度測定装置において、試料の水蒸気排気側に多孔プレートが試料に近接して配設されている透湿度測定装置。
【請求項３】
請求項２記載の透湿度測定装置において、多孔プレートが熱伝導速度が異なる複数種の多孔プレートのうちから選択されたものである透湿度測定装置。
【請求項４】
請求項２又は３記載の透湿度測定装置において、多孔プレートが接地されている透湿度測定装置。
【請求項５】
請求項１記載の透湿度測定装置を使用した透湿度測定方法であって、
カップ本体の内部に水を収容した状態で、カップ本体の上面に形成した試料のシール部の厚さよりも小さな段差からなる段差部と押えリングとの間に、試料のシール部を一定の締付け圧で挟持させた試験体を用意し、
この試験体を恒温恒湿室で制振台上に設置された精密電子秤の上に載置し、
この状態で試験体の重量を経時的に一定時間測定して、測定開始時の重量と一定時間経過後の重量の差を基にして透湿度に換算し、
同時に熱電対により水温を経時的に測定すると共に、温度センサ及び湿度センサで試験体内空間の温度及び湿度を測定することを特徴とした透湿度測定方法。
【請求項６】
請求項５記載の透湿度測定方法において、試料の水蒸気排気側で試料に近接して多孔プレートを配設し、あるいは配設せずに測定するようにした透湿度測定方法。
【請求項７】
請求項５記載の透湿度測定方法において、多孔プレートを接地し、あるいは接地せずに測定するようにした透湿度測定方法。
【発明の詳細な説明】
技術分野
本発明は、函体内の除湿用として使用される水蒸気移動装置に設けられる透湿性の膜、その他の紙や板紙、繊維製品等の透湿度を測定するための透湿度測定装置及び透湿度測定方法に関する。
背景技術
従来、透湿度測定方法としては、ＪＩＳ  Ｌ１０９９による繊維製品の透湿度試験方法が知られている。
このＪＩＳ  Ｌ１０９９におけるＡ−２法では、ウオータ法として、透湿カップに一定量の水を入れ、試料を透湿カップ上に載せた状態でパッキン及びリングを装着して試験体とする。
この試験体を所定の恒温恒湿室に収容し、所定時間後に試験体を取り出して重量を測定し（一次測定工程）、再び試験体を恒温恒湿室に収容し、所定時間後に再び試験体を取り出して重量を測定する（二次測定工程）。
そして、一次測定値から二次測定値を減算した差を基にして透湿度に換算するようにしている。
又、原理的には、上向きカップと下向きカップの間に試料を挾み、その両カップ内の空間の温度及び湿度を水蒸気の透過前と透過後で測定し、その測定結果から試料の透湿度を測定するという透湿度測定装置が知られている。
しかしながら、前者のＪＩＳ  Ｌ１０９９におけるウオータ法では、一次測定工程及び二次測定工程を行なう度に試験体を恒温恒湿室から外気に取り出す必要がある。これでは試料が外気の温度や湿度の影響を多く受けることになるし、試験体の出し入れに伴う試料表面の移動風で試料表面の温度や湿度が変化するなど、測定結果に誤差が生じやすく、信頼性に乏しいという問題があった。
又、後者の透湿度測定装置では、測定結果がセンサの精度に大きく依存し、精密さを要求される透湿度測定において、センサの誤差で測定結果が左右され、特に、センサの経年変化に伴う測定誤差の発生が生じやすいという問題があった。
本発明は上記のような従来の問題点を解決するためになされたもので、試験体を恒温恒湿室から外気に取り出すことなく、恒温恒湿室内で試験体の重量を測定することができると共に、振動による影響もなく、又、試料を透過する水蒸気の状態及び収容した水の温度を把握することによって、重量測定の結果を客観的に評価できるようにした透湿度測定装置及び透湿度測定方法を提供することを課題としている。
併せて、試料の水蒸気排気側と水蒸気入気側の表面温度差による影響下での測定、及び試料の帯電による影響下での測定ができるようにする。
発明の開示
前記課題を解決するために、本発明（請求項１）の透湿度測定装置は、
恒温恒湿室に設置された制振台（除振台）上に精密電子秤が設けられ、内部に水を収容した測定カップに、外周部に低粘度のシリコンやエポキシ樹脂等の樹脂を含浸させると共に、その外周部分の上下にシリコンゴムやエポキシ樹脂等の樹脂によるパッキン部を形成し、さらにその外周面を覆うようにパッキン部間に非流動性のシリコンやエポキシ樹脂等の樹脂を充填して形成したシール部を有する試料を装着することにより形成された試験体の重量を、前記精密電子秤で測定して透湿度に換算する透湿度測定装置であって、
前記測定カップは、上面が開口したカップ本体と、このカップ本体の上面に形成された前記シール部の厚さよりも小さな段差からなる段差部との間で、前記試料のシール部を一定の締付け圧で挟持する押えリングとを備え、
カップ本体の周壁部に、カップ本体に収容された水の中に漬没する熱電対が取り付けられると共に、水面と試料との間の空間に延在して温度センサ及び湿度センサが取り付けられ、さらに、前記カップ本体の底部にバルブによって開閉する給排水路が形成されると共に、カップ本体の周壁部にドレンバルブによって開閉する水位調整用ドレン口が前記温度センサ及び湿度センサよりも下方に設けられている構成とした。
又、本発明の透湿度測定装置において、試料の水蒸気排気側に多孔プレートが試料に近接して配設されている態様（請求項２）、この多孔プレートが熱伝導速度が異なる複数種の多孔プレートのうちから選択されたものである態様（請求項３）、又、多孔プレートが接地されている態様（請求項４）がある。
又、本発明（請求項５）の透湿度測定方法は、前記した透湿度測定装置を使用した透湿度測定方法であって、
カップ本体の内部に水を収容した状態で、カップ本体の上面に形成した試料のシール部の厚さよりも小さな段差からなる段差部と押えリングとの間に、試料のシール部を一定の締付け圧で挟持させた試験体を用意し、
この試験体を恒温恒湿室で制振台上に設置された精密電子秤の上に載置し、
この状態で試験体の重量を経時的に一定時間測定して、測定開始時の重量と一定時間経過後の重量の差を基にして透湿度に換算し、
同時に熱電対により水温を経時的に測定すると共に、温度センサ及び湿度センサで試験体内空間の温度及び湿度を測定する構成とした。
又、本発明の透湿度測定方法において、試料の水蒸気排気側で試料に近接して多孔プレートを配設し、あるいは配設せずに測定するようにした態様（請求項６）、又、多孔プレートを接地し、あるいは接地せずに測定する態様（請求項７）がある。
【図面の簡単な説明】
図１は実施の第１形態である透湿度測定装置の断面図である。図２はこの透湿度測定装置で使用される測定カップのカップ本体を示す切欠平面図である。図３は試料のシール部を示す拡大断面図である。図４は透湿度測定装置の電気配線を示す説明図である。図５は透湿度測定装置を用いて測定した測定結果を示すグラフ図である。図６は実施の第２形態である透湿度測定装置の要部を示す分解断面図である。図７は透湿度測定装置を用いて測定した測定結果を示すグラフ図である。
図８は透湿度測定装置を用いて測定した測定結果を示すグラフ図である。
発明を実施するための最良の形態
以下、本発明の実施の形態を図面に基づいて詳細に説明する。
図１は実施の第１形態である透湿度測定装置の断面図、図２はこの透湿度測定装置で使用される測定カップのカップ本体を示す切欠平面図である。
図において、１は測定カップで、上面が開口したカップ本体１０と、押えリング１１とを備えている。そして、このカップ本体１０の内部に水Ｗ（純水）を収容した状態でカップ本体１０の上面と押えリング１１との間に試料２を装着し、ボルト１２ａと蝶ナット１２ｂにより締め付けることで試験体Ｔが形成される。
尚、前記試料２の外周部には空気漏れを防止するためのシール部２０が設けられている。このシール部２０は、図３に示すように、試料２の外周部分に低粘度（粘性：４０Ｐａ・ｓ）のシリコン２１が含浸されると共に、外周部分の上下にシリコンゴムによるパッキン部２２，２２が形成され、さらに試料２の外周面を覆うようにパッキン部２２，２２間に非流動性のシリコン２３を充填したものとなっている。ただ、試料２のシール部２０には、必ずしもシリコンを使用する必要はなく、エポキシ樹脂等を用いてもよい。
又、前記シール部２０は、図１のように、カップ本体１０の上面に、シール部２０の厚さよりも小さな段差で形成した段差部１０ａに収まるように装着されている。即ち、シール部２０はシリコンで形成されているため、弾性が高く、このため、押えリング１１によって過度に締め付けられると、横方向に膨らみが生じ、これに伴って試料２に弛みが生じる。試料２の弛みは、透湿度に影響し、そして、測定の度に押えリング１１の締め付け圧にバラツキがあると、測定値にバラツキが生じるため、押えリング１１の締め付け圧を一定にする必要がある。
そこで、段差部１０ａを設けることにより、これをストッパとして押えリング１１の締め付け圧を一定にさせるようにしている。
前記カップ本体１０は、底部が嵩上げされるようにスカート部１３が形成され、その底面１４は中央に向けて下り勾配の傾斜面に形成され、その中央最深部にバルブ３０によって開閉する給排水路３が形成されている。
又、カップ本体１０の周壁部には、カップ本体１０に収容された水Ｗの中に漬没するように熱電対４０が取り付けられると共に、水Ｗと試料２との間の空間１５に延在して温度及び湿度を測定するための温湿度センサ４１が取り付けられている。
この場合、熱電対４０は、その中程部分がゴムブッシュｂを介してカップ本体１０の周壁部に取り付けられると共に、その基端部分がボトル１２ａによってカップ本体１０のフランジ部分に共締めされたアルミ製の取り付け部材４２に取り付けられている。このように、熱伝導速度が速い取り付け部材４２を介して熱電対４０を取り付けることにより、カップ本体１０から熱電対４０への熱伝達性が向上し、熱電対４０の温度を極めて速くカップ本体１０の温度に接近させることができ、従って、熱電対４０による測定誤差を小さくすることができる。
更に、カップ本体１０の周壁部には、ドレンバルブ５０によって開閉する水位調整用ドレン口５が前記温湿度センサ４１よりも下方に設けられている。尚、図中１６はバランサーで、カップ本体１０の周壁に固定され、重心が測定カップ１の中心になるように調整する。
そして、前記試験体Ｔは、一定の温度及び湿度に設定された恒温恒湿室Ｐで重量測定され、その測定値を透湿度に換算することになる。
この場合、恒温恒湿室Ｐには、測定空間Ｐ１を一定の風速以下に保持するための有孔多孔体による防風網９０が透湿度測定装置を覆う状態で設けられている。
この測定空間Ｐ１には振動吸収部材６０が底部に設けられた制振台６が設置され、この制振台６の上に１ｇ／１００００まで測定可能な精密電子秤７が設けられ、この精密電子秤７上に試験体Ｔが載置されることになる。尚、図中８０は測定空間Ｐ１内に配設された温湿度計、８１は風速計である。
又、７ａはカップ本体１０並びに精密電子秤７を接地する導線、４０ｂは熱電対４０を接地する導線、９０ａは防風網９０を接地する導線である。従って、カップ本体１０は精密電子秤７が接地されているため、これに載置されたときに接地される。又、防風網９０が接地されているため、カップ内の空間１５と測定空間Ｐ１は同電位になり易く、帯電しにくい。これによりカップ本体１０の電触が生じにくくなる。
又、図示していないが、測定空間Ｐ１には試験体Ｔを支持する昇降装置が設けられている。この昇降装置は、測定空間Ｐ１に設けたガイドに沿って受け部材が昇降可能に設けられ、一方、カップ本体１０には支持部材が突設され、この支持部材を受け部材で支持させる状態に試験体Ｔをセットする。そして、この試験体Ｔをセットした状態で受け部材を下降させて試験体Ｔを精密電子秤７上に載置させたのち、さらに受け部材を下降させて支持部材から離反させるようになっている。
これにより、試験体Ｔ及び精密電子秤７に衝撃を与えることなく、試験体Ｔを静かに精密電子秤７上に載置することができる。
尚、この昇降装置における受け部材の昇降駆動手段としては、手動、電動モータ、エアシリンダ、油圧シリンダ等を用いることができるし、動力伝達手段としては、ワイヤ、チエン、歯車、リンク等を用いることができ、この駆動手段と動力伝達手段を組み合わせて受け部材の昇降機構を構成する。
次に、上記の透湿度測定装置を用いた透湿度測定方法を説明する。
この透湿度測定方法では、まず、試験体Ｔを作るもので、始めにカップ本体１０の内部に水Ｗ（純水）を収容する。
このとき、水Ｗの給水又は排水が必要な場合には、バルブ３０を開いて給排水路３から水Ｗを給水又は排水する。又、水量の調節は、ドレンバルブ５０によって開閉する水位調整用ドレン口５から行なう。
これにより、温湿度センサ４１を水で濡らすことなくカップ本体１０内の水Ｗを適量で収容することができる。
このようにしてカップ本体１０内に水Ｗを収容したのち、カップ本体１０の上面と押えリング１１との間に試料２を装着し、ボルト１２ａと蝶ナット１２ｂにより締め付けることで試験体Ｔが形成される。このとき、試料２の外周部からの蒸気の漏れはシール部２０によって確実に防止される。
次に、試験体Ｔを恒温恒湿室Ｐの測定空間Ｐ１内に設置して測定作業を行なうもので、これは、試料２が温度や湿度の影響を受けやすく、外気の温度や湿度の変化で測定結果に誤差が生じるのを防止するためである。
尚、試験体Ｔは前述した受け部材によって精密電子秤７上に載置されるものであるが、試験体Ｔを受け部材に支持させるまでの試験体Ｔの持ち運びに際しては、試料２が水Ｗで濡れないように、水平にして静かに持ち運ぶ必要があり、このために専用のリフト装置を使用し、懸垂状態で持ち運ぶようにしている。
そして、上述のようにして試験体Ｔを精密電子秤７上に載置したのち、恒温恒湿室Ｐを閉じ、あとは遠隔操作で測定を行なうことになる。この場合、図４で示すように、温湿度センサ４１及び熱電対４０はその測定データが有線４１ａ，４０ａによって外部の電子計算装置８５に取り込まれるもので、試験体Ｔを受け部材に支持した段階で予め有線４１ａ，４０ａを接続しておくことになる。
前記有線４１ａ，４０ａは、その重量が試験体Ｔの重量測定に影響を及ぼすことがないよう種類及び配線に工夫がなされている。この場合、有線４１ａ，４０ａとしては、可撓性及び伸縮性に優れたもの（例えば、商標名；モビロン吉野川電線株式会社製）を用い、試験体Ｔの中心真上で、周期的な弾性振動が発生しにくいように扇状又は逆円錐状に集束してコネクタ８７により接続するようにしている。
尚、図４において、８５ａは変換装置、８５ｂは電源、８５ｃは記憶ロガー、８５ｄはパソコン、８５ｅは電送ケーブル（ＲＳ２３２Ｃ）である。又、変換装置８５ａ、記憶ロガー８５ｃ、パソコン８５ｄにはそれぞれ接地用の導線８６が接続されている。
測定に際しては、まず、試験体Ｔを載置した状態で精密電子秤７をゼロ設定する。
次に、この状態で試験体Ｔの重量を経時的に一定時間（１時間）測定して、測定開始時の重量（ゼロ設定）と一定時間経過後の重量の差を基にして透湿度に換算し、同時に熱電対４０により水温を経時的に測定すると共に、温湿度センサ４１で試験体Ｔ内の空間１５の温度及び湿度を測定するものである。
尚、試験体Ｔの重量の差を透湿度に換算するには、次式を用いる。
Ｐ＝１０×（Ａ２−Ａ１）／Ｓ
ここで、
Ｐ：透湿度（ｇ／ｍ2・ｈ）
Ａ２−Ａ１：試験体の時間当たりの重量変化量（ｍｇ／ｈ）
Ｓ：透湿面積（ｃｍ2）
尚、図５はシール部を弾力性の小さいエポキシ樹脂で形成した試料を、透湿度測定装置を用いて測定した測定結果を示すグラフ図である。
図において、
Ａはカップ内相対湿度
Ｂは多項式カップ内相対湿度
Ｃは測定空間相対湿度
Ｄは多項式測定空間相対湿度
Ｅは透湿度
Ｆはカップ内水温変動量×１０
Ｇはカップ内水温
Ｈは測定空間温度
Ｉは測定空間温度変動量×１０
Ｊはカップ重量×１０-1
Ｋはカップ重量変動量×１０２×０．５
Ｌはカップ内温度変動量×１０
Ｍはカップ内温度
Ｎは測定空間風速×１０２を示している。
尚、Ｆ，Ｉ，Ｋ，Ｌの各変動量及びＪの重量とＮの風速のグラフは、詳細に変動の状態を把握するためと、１つのグラフに表示させるために、本来の値に１０-1〜０．５×１０２を掛けた数値である。
この透湿度測定方法では、上記したように、試験体Ｔの作成については外気の中で行なうものの、一連の測定に際してはすべて恒温恒湿Ｐ（測定空間Ｐ１）内で行なうことができる。
従って、試験体Ｔの重量測定に際し、これを外気に取り出すことなく、恒温恒湿室Ｐ（測定空間Ｐ１）内で行なうことができるし、振動による影響のない環境で精密に測定することができる。
又、試験体Ｔ内の空間１５の温度及び湿度を温湿度センサ４１で測定すると共に、熱電対４０により水温を経時的に測定するために、試料２を透過する水蒸気の状態を把握することができる。
これにより、これらの水蒸気に関わる測定結果を踏まえながら重量測定の結果を客観的に評価することができ、精密で信頼性の高い測定が可能になる。
又、試料２やシール部２０にピンホール等による空気漏れがある場合には、図５のグラフ図において、カップ重量変動量Ｋが急勾配になり、これによって試料２やシール部２０の空気漏れを発見することもできる。
又、図５のグラフ図において、カップ内水温変動量Ｆが測定開始後に上昇した温度ムラが生じているが、前記したように、熱伝導速度が速いアルミ製の取り付け部材４２を介して熱電対４０を取り付けるようにすれば、水温を反映したカップ本体１０から熱電対４０への熱伝達性が向上して、熱電対４０の温度を極めて速くカップ本体１０の温度に接近させることができ、この温度ムラを解消することができる。
次に、図６は実施の第２形態である透湿度測定装置の要部を示す分解断面図である。
この透湿度測定装置では、試料２の水蒸気排気側に多孔プレート１００が試料２に近接するように配設されている。この場合、カップ本体１０の上面と押えリング１１との間に試料２及び多孔プレート１００を重ねた状態でボルト１２ａと蝶ナット１２ｂにより共締めすることで試験体Ｔが形成されている。
そして、この多孔プレート１００は、熱伝導速度が異なる複数種の多孔プレートのうちから選択されたもので、例えば、熱伝導速度が速いアルミや銅、白金、ステンレスによるメッシュプレート、あるいは熱伝導速度が遅いレジンメッシュプレート等がある。尚、この多孔プレート１００の表面は防錆のため不動態処理されている。
又、この透湿度測定装置では、多孔プレート１００と蝶ナット１２の間に導電性の網１０１が介在され、この網１０１と導線４０ｂとを導線１００ａで接続して多孔プレート１００を接地させている。
試料２となる透湿性の膜等の用途及び使用場所は様々であり、膜等を境にして温度が異なる場所に接地されることが多い。このような使用に対処するには、試料本来の透湿度を正確に測定しておく必要があることは勿論のこと、試料２の水蒸気入気側と水蒸気排気側とで表面温度に故意の温度差を設定して、その状態で透湿度を設定しておく必要性もある。
試料本来の透湿度を正確に測定するには、試料２の水蒸気入気側と水蒸気排気側とで表面温度を同一にすることが要求される。ところが、試料２の水蒸気入気側の表面温度は測定カップ１からの熱伝達によって影響され、他方、試料２の水蒸気排気側の表面温度は測定空間Ｐ１の温度で影響されているため、試料２の水蒸気入気側と水蒸気排気側の表面温度には温度差が生じている。
そこで、上述のように多孔プレート１００用い、この多孔プレート１００に熱伝導速度が特に速いもの（例えば、銅メッシュプレート）を選択すると、測定カップ１からの熱伝達によって多孔プレート１００が測定カップ１の温度に影響され、試料２の水蒸気入気側と水蒸気排気側の表面温度を同一にすることができる。又、熱伝導速度が速い多孔プレートを用いた場合、測定カップ１とのボルト１２ａを介した熱伝導が得られるため、カップ内部との温度差を極小にすることができる。
従って、この状態で透湿度を測定すれば、試料本来の透湿度を正確に測定することができる。尚、測定に際しては、測定カップ１から多孔プレート１００に熱伝達されるまでの待機時間を必要に応じて設けることになる。
一方、試料２となる膜等の使用条件に対応した透湿度を把握するには、水蒸気入気側と水蒸気排気側とで表面温度に故意の温度差を設定し、その状態で透湿度を測定しておく必要性もある。
このような場合には、熱伝導速度が異なる数種類の多孔プレート１００を用意し、それぞれの多孔プレート１００を用いたときの透湿度を測定しておけば、特定の試料２について、水蒸気入気側と水蒸気排気側との表面温度に種々の温度差がある状態での透湿度を把握することができる。
尚、多孔プレート１００として熱伝導速度が特に速い銅メッシュプレートを用いた場合のカップ重量変動量×１０２×０．５をＫ１として図５のグラフ図に示し、又、多孔プレートに熱伝導速度が特に遅いレジンメッシュプレートを用いた場合のカップ重量変動量×１０２×０．５をＫ２として図５のグラフ図に示している。この場合、測定結果がＫ１の場合には、Ｅの透湿度は下方にシフトし、測定結果がＫ２の場合には、Ｅの透湿度は上方にシフトすることになる。
又、多孔プレート１０が帯電した場合、その静電気によって試料２に水蒸気が付着したままになり、これが試料本来の透湿度を正確に測定する際の障害になる。従って、多孔プレート１００を接地すれば、試料２の帯電が誘電緩和され、付着水蒸気による障害を排除して正確な透湿度を測定することができる。
又、試料２の透湿度を測定する場合、多孔プレート１００が帯電した状態での透湿度についても、これを把握しておく必要もある。このような場合には、多孔プレート１００の接地を故意に外しておけば、多孔プレート１００が帯電した状態での透湿度を測定することができる。
又、多孔プレート１００の熱伝導と電気伝導とは、ほぼ比例しているので、その特長を使って、試料２の誘電緩和と共に水蒸気の移動調整を行うための基礎データの収集ができる。
次に、図７及び図８はシール部をシリコン樹脂で形成した試料を用いると共に、多孔プレートを配設した状態で、透湿度測定装置を用いて測定した測定結果を示すグラフ図である。
この図において、各グラフを表わす符号は前記図５と同一である。
又、図７と図８は、測定空間Ｐ１内を流動する風が及ぼす影響を比較するための測定結果となっている。
測定に際しては、試料の温度及び温度分布を一定にすることが、正確な測定を行う上で必要とされ、そのためには測定空間Ｐ１についても、雰囲気温度が一定で、温度分布が均一であることが望ましい。
測定空間Ｐ１内の風速を高くすると、空気の攪拌によって雰囲気温度及び温度分布のムラをなくすことができるが、反面、風の影響で精密電子秤７が振れ動きと共に、試料に風があたり、正確な測定ができない。
一方、測定空間Ｐ１内の風速を小さくすると、精密電子秤７への影響をなくすことができるものの、空気の攪拌が小さいため雰囲気温度及び温度分布にムラが生じ、正確な測定ができない。
そこで、測定空間Ｐ１内の風速を精密電子秤７に影響がない程度に小さくしながらも試料の温度及び温度分布を一定にすることが望まれるもので、このために熱伝導速度が速い多孔プレート１００を水蒸気排気側で試料に近接配設して、風が試料に当たるのを防止しながら試料の温度及び温度分布を一定にさせるようにしている。
尚、図７のグラフ図では、測定開始から測定中程の範囲で風を扇ぎ、又、図８のグラフ図では、測定開始時と、測定中程から測定終了時の範囲で風を扇いでいる。この図で判るように、多孔プレート１００を設けた状態であっても、風の扇ぎ具合によってカップ重量変動量Ｋ（透湿度Ｅ）に差が生じることから、風の扇ぎ具合とカップ重量変動量Ｋ（透湿度Ｅ）との関係を把握することもできるようになる。
以上、本発明の実施の形態を図面により説明してきたが、具体的な構成はこれに限定されるものではない。
多孔プレートを用いた場合、厚みや物性の異なる多孔プレートが組み合わされた場合の透湿特性への影響を精密に実測することができる。
例えば、中心部が厚く、周辺部が薄い多孔プレートや中心部の熱伝導速度が遅く、周辺部が速い多孔プレート等を使用して精密に測定することができる。
産業上の利用可能性
以上、説明してきたように本発明にあっては、以下に挙げるような効果が得られる。
精密電子秤が制振台上に設けられているため、振動による影響を受けることなく精密電子秤上で試験体の重量測定を行なうことができる。
又、恒温恒湿室に精密電子秤が設置されているため、恒温恒湿室で試験体の重量測定を行なうことができ、重量測定の度に恒温恒湿室から取り出すことによる外気の影響を受けることがない。
又、温度センサ及び湿度センサ、並びに熱電対が設けられているため、試料を透過する水蒸気の状態を把握することができる。これにより、これらの水蒸気に関わる測定結果を踏まえながら重量測定の結果を客観的に評価することができ、精密で信頼性の高い測定ができる。
又、給排水路及び水位調整用ドレン口を設けて、温度センサ及び湿度センサを濡らすことなく水の給排水及び水位調整をすることができるように形成しているので、温度センサ及び湿度センサが水に濡れて破損することを防止することができる。
又、試料の外周部に低粘度のシリコンやエポキシ樹脂等の樹脂を含浸させると共に、その外周部分の上下にシリコンゴムやエポキシ樹脂等の樹脂によるパッキン部を形成し、さらに試料の外周面を覆うようにパッキン部間に非流動性のシリコンやエポキシ樹脂等の樹脂を充填してシール部を形成し、このシール部をカップ本体の上面に形成されたシール部の厚さよりも小さな段差からなる段差部内に収容し、シール部を押えリングにより一定の締付け圧で挟持するようにしているので、空気漏れを確実に防止することができると共に、試料に弛みが生じることがないので、測定値のバラツキを防止することができる。
又、多孔プレートを用いた場合には、試料本来の透湿度を正確に測定することができるし、又、特定の試料について、水蒸気入気側と水蒸気排気側との表面温度に種々の温度差がある状態での透湿度を把握することができる。
又、多孔プレートを接地させると、試料の帯電が誘電緩和され、付着水蒸気による障害を排除して正確な透湿度を測定することができるし、必要に応じて多孔プレートを接地しない状態での透湿度を測定することもできる。
【図１】
0003631142.tif 000002
【図２】
0003631142.tif 000003
【図３】
0003631142.tif 000004
【図４】
0003631142.tif 000005
【図５】
0003631142.tif 000006
【図６】
0003631142.tif 000007
【図７】
0003631142.tif 000008
【図８】
0003631142.tif 000009